(57)【要約】      （修正有）【課題】画面を切り替えることなく測定結果等を見やすく表示することができる測定装置及び測定方法を提供する。【解決手段】スペクトラムアナライザ１は、測定結果を示す測定結果画像を表示する表示画面１４と、測定者を撮像する撮像部３１と、撮像部によって撮像された撮像画像に基づいて測定者の視線方向を検出する視線方向検出部３２と、視線方向検出部３２によって検出された視線方向に基づいて測定者が注視している測定結果画像の注視領域を特定する注視領域特定部３３ａと、注視領域を含む所定領域を拡大した画像である注視領域拡大画像を生成する拡大画像生成部３３ｂと、注視領域拡大画像を表示画面に表示する制御を行う表示制御部３５と、を備える。【選択図】図１
2017166968.tif 000002
【特許請求の範囲】
【請求項１】
測定結果を示す測定結果画像（４０）を表示する表示画面（１４）と、
測定者を撮像する撮像手段（３１）と、
前記撮像手段によって撮像された撮像画像に基づいて前記測定者の視線方向を検出する視線方向検出手段（３２）と、
前記視線方向検出手段によって検出された視線方向に基づいて前記測定者が注視している前記測定結果画像の注視領域（４１ａ）を特定する注視領域特定手段（３３ａ）と、
前記注視領域を含む所定領域を拡大した画像である注視領域拡大画像（４６、４８）を生成する注視領域拡大画像生成手段（３３ｂ）と、
前記注視領域拡大画像を前記表示画面に表示する制御を行う表示制御手段（３５）と、
を備えたことを特徴とする測定装置（１）。
【請求項２】
前記注視領域拡大画像生成手段が、前記測定者の視線方向の移動に応じて前記測定結果画像上を移動する注視領域拡大画像を生成するものであることを特徴とする請求項１に記載の測定装置。
【請求項３】
測定結果を示す測定結果画像（６０）内の一部の領域を表示対象領域（６１〜６５）として表示する表示画面（１４）と、
測定者を撮像する撮像手段（３１）と、
前記撮像手段によって撮像された撮像画像に基づいて前記測定者の視線方向を検出する視線方向検出手段（３２）と、
前記視線方向の移動に応じて前記表示対象領域を移動させて前記表示画面に表示する制御を行う表示制御手段（５１、５２）と、
を備えたことを特徴とする測定装置（２）。
【請求項４】
測定結果を示す測定結果画像（４０）を表示画面（１４）に表示する表示ステップ（Ｓ１２）と、
測定者を撮像する撮像ステップ（Ｓ１３）と、
前記撮像ステップにおいて撮像された撮像画像に基づいて前記測定者の視線方向を検出する視線方向検出ステップ（Ｓ１４）と、
前記視線方向検出ステップにおいて検出された視線方向に基づいて前記測定者が注視している前記測定結果画像の注視領域（４１ａ）を特定する注視領域特定ステップ（Ｓ１７）と、
前記注視領域を含む所定領域を拡大した画像である注視領域拡大画像（４６、４８）を生成する注視領域拡大画像生成ステップ（Ｓ１７）と、
前記注視領域拡大画像を前記表示画面に表示する制御を行う表示制御ステップ（Ｓ１９）と、
を含むことを特徴とする測定方法。
【請求項５】
測定結果を示す測定結果画像（６０）内の一部の領域を表示対象領域（６１〜６５）として表示画面（１４）に表示する表示ステップ（Ｓ３２）と、
測定者を撮像する撮像ステップ（Ｓ３３）と、
前記撮像ステップにおいて撮像された撮像画像に基づいて前記測定者の視線方向を検出する視線方向検出ステップ（Ｓ３４）と、
前記視線方向の移動に応じて前記表示対象領域を移動させて前記表示画面に表示する制御を行う表示制御ステップ（３６）と、
を含むことを特徴とする測定方法。
【発明の詳細な説明】
【技術分野】
【０００１】
本発明は、電気的特性の測定結果を表示する表示画面を備えた測定装置及び測定方法に関する。
【背景技術】
【０００２】
従来、この種の測定装置としては、特許文献１に記載の信号解析装置が知られている。
【０００３】
特許文献１に記載の従来のものは、表示装置及び操作部を備えている。表示装置は、測定条件を設定するためのパラメータや測定結果のグラフを表示するメイン表示部と、複数のファンクションキーを表示するサブ表示部と、を備えている。操作部は、パラメータ値の設定及び変更を行う際に操作される表示切替スイッチを備えている。
【０００４】
この構成において、従来のものは、メイン表示部に選択的に表示されるパラメータ値の設定及び変更が可能な各パラメータが、サブ表示部の複数のファンクション表示キーＦ１〜Ｆ８にそれぞれ表示されるメニューと同一色により表示されるようにしている。その結果、所望のパラメータ値の設定及び変更を行うために操作すべきファンクション表示キーＦ１〜Ｆ８を、予め決められた"異なる色"によって特定させることが可能となっている。
【先行技術文献】
【特許文献】
【０００５】
【特許文献１】特開２０１５−５２５１９号公報
【発明の概要】
【発明が解決しようとする課題】
【０００６】
しかしながら、従来のものでは、パラメータの設定画面や測定結果のグラフ等（以下「測定結果等」という）を限られた画面領域で表示する必要があるので、測定結果等を小さく表示する手法や、画面を切り替えて表示するといった手法がとられていた。測定結果等を小さく表示する手法では、測定結果等が見づらくなるという課題があった。また、画面を切り替えて表示する手法では、切り替えの手間がかかるという課題があった。
【０００７】
本発明は、従来の課題を解決するためになされたものであり、画面を切り替えることなく測定結果等を見やすく表示することができる測定装置及び測定方法を提供することを目的とする。
【課題を解決するための手段】
【０００８】
本発明の請求項１に係る測定装置（１）は、測定結果を示す測定結果画像（４０）を表示する表示画面（１４）と、測定者を撮像する撮像手段（３１）と、前記撮像手段によって撮像された撮像画像に基づいて前記測定者の視線方向を検出する視線方向検出手段（３２）と、前記視線方向検出手段によって検出された視線方向に基づいて前記測定者が注視している前記測定結果画像の注視領域（４１ａ）を特定する注視領域特定手段（３３ａ）と、前記注視領域を含む所定領域を拡大した画像である注視領域拡大画像（４６、４８）を生成する注視領域拡大画像生成手段（３３ｂ）と、前記注視領域拡大画像を前記表示画面に表示する制御を行う表示制御手段（３５）と、を備えた構成を有している。
【０００９】
この構成により、本発明の請求項１に係る測定装置は、測定者が注視している測定結果画像の注視領域を特定し、注視領域を含む所定領域を拡大した画像である注視領域拡大画像を生成して表示するので、画面を切り替えることなく測定結果等を見やすく表示することができる。
【００１０】
本発明の請求項２に係る測定装置は、前記注視領域拡大画像生成手段が、前記測定者の視線方向の移動に応じて前記測定結果画像上を移動する注視領域拡大画像を生成するものである構成を有している。
【００１１】
この構成により、本発明の請求項２に係る測定装置は、測定者の視線方向の移動に応じて前記測定結果画像上を移動する注視領域拡大画像を生成して表示するので、画面を切り替えることなく測定結果等を見やすく表示することができる。
【００１２】
本発明の請求項３に係る測定装置（２）は、測定結果を示す測定結果画像（６０）内の一部の領域を表示対象領域（６１〜６５）として表示する表示画面（１４）と、測定者を撮像する撮像手段（３１）と、前記撮像手段によって撮像された撮像画像に基づいて前記測定者の視線方向を検出する視線方向検出手段（３２）と、前記視線方向の移動に応じて前記表示対象領域を移動させて前記表示画面に表示する制御を行う表示制御手段（５１、５２）と、を備えた構成を有している。
【００１３】
この構成により、本発明の請求項３に係る測定装置は、測定結果を示す測定結果画像内の一部の領域を表示対象領域とし、視線方向の移動に応じて表示対象領域を移動させて表示画面に表示するので、画面を切り替えることなく測定結果等を見やすく表示することができる。
【００１４】
本発明の請求項４に係る測定方法は、測定結果を示す測定結果画像（４０）を表示画面（１４）に表示する表示ステップ（Ｓ１２）と、測定者を撮像する撮像ステップ（Ｓ１３）と、前記撮像ステップにおいて撮像された撮像画像に基づいて前記測定者の視線方向を検出する視線方向検出ステップ（Ｓ１４）と、前記視線方向検出ステップにおいて検出された視線方向に基づいて前記測定者が注視している前記測定結果画像の注視領域（４１ａ）を特定する注視領域特定ステップ（Ｓ１７）と、前記注視領域を含む所定領域を拡大した画像である注視領域拡大画像（４６、４８）を生成する注視領域拡大画像生成ステップ（Ｓ１７）と、前記注視領域拡大画像を前記表示画面に表示する制御を行う表示制御ステップ（Ｓ１９）と、を含む構成を有している。
【００１５】
この構成により、本発明の請求項４に係る測定方法は、測定者が注視している測定結果画像の注視領域を特定し、注視領域を含む所定領域を拡大した画像である注視領域拡大画像を生成して表示するので、画面を切り替えることなく測定結果等を見やすく表示することができる。
【００１６】
本発明の請求項５に係る測定方法は、測定結果を示す測定結果画像（６０）内の一部の領域を表示対象領域（６１〜６５）として表示画面（１４）に表示する表示ステップ（Ｓ３２）と、測定者を撮像する撮像ステップ（Ｓ３３）と、前記撮像ステップにおいて撮像された撮像画像に基づいて前記測定者の視線方向を検出する視線方向検出ステップ（Ｓ３４）と、前記視線方向の移動に応じて前記表示対象領域を移動させて前記表示画面に表示する制御を行う表示制御ステップ（３６）と、を含む構成を有している。
【００１７】
この構成により、本発明の請求項５に係る測定方法は、測定結果を示す測定結果画像内の一部の領域を表示対象領域とし、視線方向の移動に応じて表示対象領域を移動させて表示画面に表示するので、画面を切り替えることなく測定結果等を見やすく表示することができる。
【発明の効果】
【００１８】
本発明は、画面を切り替えることなく測定結果等を見やすく表示することができるという効果を有する測定装置及び測定方法を提供することができるものである。
【図面の簡単な説明】
【００１９】
【図１】本発明に係る測定装置の第１実施形態におけるスペクトラムアナライザのブロック構成図である。
【図２】本発明に係る測定装置の第１実施形態におけるスペクトラムアナライザの外観正面図である。
【図３】本発明に係る測定装置の第１実施形態における測定結果画像生成部が生成する測定結果画像の一例を示す図である。
【図４】本発明に係る測定装置の第１実施形態における画像合成部が生成する合成画像の一例を示す図である。
【図５】本発明に係る測定装置の第１実施形態におけるスペクトラムアナライザの動作を示すフローチャートである。
【図６】本発明に係る測定装置の第２実施形態におけるスペクトラムアナライザのブロック構成図である。
【図７】本発明に係る測定装置の第２実施形態における測定結果画像生成部が生成する測定結果画像の一例を示す図である。
【図８】本発明に係る測定装置の第２実施形態における表示画面に左上部領域が表示された状態を示す図である。
【図９】本発明に係る測定装置の第２実施形態における表示画面に表示される画面を説明する図である。
【図１０】本発明に係る測定装置の第２実施形態におけるスペクトラムアナライザの動作を示すフローチャートである。
【発明を実施するための形態】
【００２０】
以下、本発明の実施形態について図面を用いて説明する。なお、本発明の測定装置をスペクトラムアナライザに適用した例を挙げて説明する。
【００２１】
（第１実施形態）
まず、本発明に係るスペクトラムアナライザの第１実施形態における構成について図１に基づき説明する。
【００２２】
図１に示すように、本実施形態におけるスペクトラムアナライザ１は、ＲＦ（Radio Frequency）処理部２０、ＡＤＣ（アナログデジタルコンバータ）１１、測定部１２、測定結果画像生成部１３、表示画面１４、拡大画像消去部１５、表示制御装置３０を備えている。スペクトラムアナライザ１は、図示しないＣＰＵと、ＲＯＭと、ＲＡＭと、各種インタフェースが接続される入出力回路等を備えたマイクロコンピュータを含む。スペクトラムアナライザ１は、ＲＯＭに予め格納された制御プログラムを実行させることにより、マイクロコンピュータを、ＲＦ処理部２０、ＡＤＣ１１、測定部１２、測定結果画像生成部１３、表示画面１４、拡大画像消去部１５、表示制御装置３０として機能させるようになっている。このスペクトラムアナライザ１は、測定装置の一例である。
【００２３】
ＲＦ処理部２０は、信号混合器２１、局部発振器２２、掃引制御部２３、フィルタ２４を備えている。
【００２４】
信号混合器２１は、入力する被測定信号と局部発振器２２からの局部発振信号とを混合して出力するようになっている。
【００２５】
局部発振器２２は、指定された周波数帯域で掃引可能な局部発振周波数を有する局部発振信号を発振し、局部発振信号を信号混合器２１に出力するようになっている。
【００２６】
掃引制御部２３は、局部発振器２２に対して、図示しない操作部を測定者が操作することによって指定された基準周波数、掃引幅、取得サンプル数等に応じて局部発振信号の周波数を所定ステップで掃引させるようになっている。
【００２７】
フィルタ２４は、被測定信号と局部発振信号との差又は和の周波数成分のうち、例えば差の周波数成分を含む中間周波数信号を抽出するようになっている。
【００２８】
ＡＤＣ１１は、フィルタ２４が出力する中間周波数信号をアナログ値の信号からデジタル値の信号に変換して測定部１２に出力するようになっている。
【００２９】
測定部１２は、ＡＤＣ１１からの波形データを掃引ごとに記憶する波形メモリを備え、記憶した波形データに対して所定の測定を行うようになっている。例えば、測定部１２は、図示しない操作部によって測定者が定めた通信規格における測定項目の測定演算処理を行うものである。
【００３０】
測定結果画像生成部１３は、測定部１２が測定した結果を示す測定結果データやグラフ等を含む測定結果画像を生成するようになっている。この測定結果画像は、後述する表示画面１４によって表示される。
【００３１】
表示制御装置３０は、撮像部３１、視線方向検出部３２、拡大画像生成装置３３、画像合成部３４、表示制御部３５を備えている。
【００３２】
撮像部３１は、後述するカメラ３１ａを備え、測定者を撮像するようになっている。例えば、撮像部３１は、測定者の左右の目や顔の向きを撮像するものである。測定者の撮像画像データは、視線方向検出部３２に出力される。なお、撮像部３１は、撮像手段の一例である。
【００３３】
視線方向検出部３２は、撮像部３１からの撮像画像データを解析し、公知の技術を用いて、例えば、測定者の眼部の画像を抽出して目の瞳と白目の位置関係から、又は顔の向き等から測定者の視線方向を検出するとともに、視線方向の移動も検出できるようになっている。なお、視線方向検出部３２は、比較的細かい視線方向の動きを無視できるよう、例えば視線方向の動きを平均化して視線方向を求めるようになっている。この視線方向検出部３２は、視線方向検出手段の一例である。
【００３４】
拡大画像生成装置３３は、注視領域特定部３３ａ、拡大画像生成部３３ｂを備え、視線方向検出部３２が検出したデータと、測定結果画像生成部１３が生成した測定結果画像のデータと、を入力するようになっている。
【００３５】
注視領域特定部３３ａは、視線方向検出部３２によって検出された視線方向に基づき、表示画面１４に表示されている測定結果画像に対して測定者が注視している注視領域を特定するようになっている。具体的には、注視領域特定部３３ａは、測定者の視線方向が例えば３秒間以上ほぼ固定され、測定者がほぼ同じ領域を注視していると判断した場合には、注視している領域を注視領域として特定するようになっている。なお、注視領域特定部３３ａは、注視領域特定手段の一例である。
【００３６】
拡大画像生成部３３ｂは、注視領域特定部３３ａによって注視領域が特定された場合には、その特定された注視領域を含む所定領域を拡大した画像である注視領域拡大画像を生成するようになっている。なお、拡大画像生成部３３ｂは、注視領域拡大画像生成手段の一例である。
【００３７】
画像合成部３４は、拡大画像生成部３３ｂによって注視領域拡大画像が生成された場合にはその注視領域拡大画像と、測定結果画像生成部１３によって生成された測定結果画像と、を合成した合成画像を生成するようになっている。なお、拡大画像生成部３３ｂによって注視領域拡大画像が生成されていない場合には、画像合成部３４は、測定結果画像のデータのみを出力する。
【００３８】
表示制御部３５は、画像合成部３４によって合成された合成画像、又は、測定結果画像のみを表示画面１４に表示する制御を行うようになっている。この表示制御部３５は、表示制御手段の一例である。
【００３９】
表示画面１４は、例えば液晶パネルで構成され、表示制御部３５の表示制御に応じて所定の画像を表示するようになっている。
【００４０】
拡大画像消去部１５は、例えば、スペクトラムアナライザ１の表面パネルに設けられた押しボタンスイッチ１５ａを備えている。この押しボタンスイッチ１５ａは、注視領域拡大画像が表示画面１４に表示されている場合において、その注視領域拡大画像を消去する際に使用されるものである。
【００４１】
次に、スペクトラムアナライザ１の詳細な構成や主な機能について、図２〜図４を用いて説明する。
【００４２】
図２は、本実施形態におけるスペクトラムアナライザ１の外観正面図を示している。図２に示すように、スペクトラムアナライザ１は、表示画面１４を備えている。表示画面１４の上辺側のほぼ中央部には、撮像部３１の一部を構成するカメラ３１ａが設けられている。なお、図２では１つのカメラ３１ａを設けた例を図示しているが、本発明はこれに限定されず、例えばステレオカメラを用いる構成であってもよい。
【００４３】
また、図２には、拡大画像消去部１５が備える押しボタンスイッチ１５ａが図示されている。注視領域拡大画像が表示画面１４に表示されている場合に、測定者が押しボタンスイッチ１５ａを押下することにより、注視領域拡大画像が表示画面１４に表示されなくなる。なお、押しボタンスイッチ１５ａに代えて、例えば、視線方向検出部３２が、測定者の視線方向が表示画面１４の外側に所定秒数間移動したことを検出した場合に、注視領域拡大画像を表示画面１４から消去する構成としてもよい。
【００４４】
図３は、測定結果画像生成部１３が生成する測定結果画像４０の一例を示している。図３に示すように、測定結果画像４０は、各種測定項目とその結果を示すデータ４１と、コンスタレーション特性を示すデータ４２と、変調精度（Error Vector Magnitude：ＥＶＭ）対シンボルの関係を示すデータ４３と、振幅誤差（Magnitude Error）対シンボルの関係を示すデータ４４と、を含む。
【００４５】
図３に示した測定結果画像４０が表示画面１４に表示された状態において、視線方向検出部３２が測定者の視線方向を検出し、注視領域特定部３３ａが例えば領域４１ａを測定者が注視している注視領域であると特定した場合には、拡大画像生成部３３ｂが注視領域である領域４１ａを含む所定領域を拡大した画像である注視領域拡大画像４６（図４（ａ）参照）を生成する。
【００４６】
図４（ａ）は、画像合成部３４が生成した合成画像４５を示す図である。合成画像４５は、測定結果画像生成部１３によって生成された測定結果画像４０と、拡大画像生成部３３ｂによって生成された注視領域拡大画像４６とが合成された画像である。
【００４７】
図４（ａ）に示した合成画像４５が表示画面１４に表示された状態において、視線方向検出部３２が、測定者の視線方向が図中右下方向に移動したことを検出した場合には、視線方向の移動に応じて注視領域拡大画像４６が移動し、例えば注視領域拡大画像４８（図４（ｂ）参照）が表示される。この注視領域拡大画像４８は、データ４４（図３参照）に含まれるグラフの一部を拡大した画像である。
【００４８】
図４（ｂ）は、画像合成部３４が生成した合成画像４７を示す図である。合成画像４７は、測定結果画像生成部１３によって生成された測定結果画像４０と、拡大画像生成部３３ｂによって生成された注視領域拡大画像４８と、が合成された画像である。
【００４９】
注視領域拡大画像４６が移動して注視領域拡大画像４８が表示される過程は、例えば拡大鏡を用いて測定結果画像を部分的に拡大しながら移動するイメージである。
【００５０】
次に、本実施形態におけるスペクトラムアナライザ１の動作について図５を用いて説明する。なお、スペクトラムアナライザ１が入力した被測定信号はＲＦ処理部２０で処理され、ＡＤＣ１１、測定部１２と送られて所定の測定結果が求められるが、これらの動作は公知であるので説明を省略する。
【００５１】
測定結果画像生成部１３は、測定部１２が測定した結果を示す測定結果データやグラフ等を含む測定結果画像を生成する（ステップＳ１１）。生成された測定結果画像のデータは画像合成部３４を介して表示制御部３５に出力される。
【００５２】
表示制御部３５は、測定結果画像生成部１３によって生成された測定結果画像を表示画面１４に表示する制御を行う（ステップＳ１２）。
【００５３】
撮像部３１は、測定者を撮像し（ステップＳ１３）、撮像データを視線方向検出部３２に出力する。
【００５４】
視線方向検出部３２は、撮像部３１からの撮像データを解析し、測定者の視線方向を検出する（ステップＳ１４）。検出された視線方向を示すデータは拡大画像生成装置３３に出力される。
【００５５】
拡大画像生成装置３３は、注視領域拡大画像が表示画面１４に表示されているか否かを判断する（ステップＳ１５）。なお、図５では、注視領域拡大画像を拡大画像と省略して記載している。
【００５６】
ステップＳ１５において、注視領域拡大画像が表示画面１４に表示されていると判断されなかった場合には、注視領域特定部３３ａは、注視領域が特定されたか否かを判断する（ステップＳ１６）。
【００５７】
ステップＳ１６において、注視領域が特定されたと判断された場合には、注視領域特定部３３ａは、測定者が注視している領域を注視領域として特定し、拡大画像生成部３３ｂは、注視領域特定部３３ａによって特定された注視領域を含む所定領域を拡大した画像である注視領域拡大画像を生成する（ステップＳ１７）。具体的には、注視領域特定部３３ａは、例えば３秒間以上ほぼ同じ領域を測定者が注視していると判断した場合には、測定者が注視している領域を注視領域として特定する。
【００５８】
一方、ステップＳ１６において、注視領域が特定されたと判断されなかった場合には、ステップＳ１３の処理に戻る。
【００５９】
画像合成部３４は、測定結果画像生成部１３によって生成された測定結果画像と、拡大画像生成部３３ｂによって生成された注視領域拡大画像と、を合成した合成画像を生成する（ステップＳ１８）。
【００６０】
表示制御部３５は、画像合成部３４によって合成された合成画像を表示画面１４に表示する制御を行い（ステップＳ１９）、ステップＳ１３の処理に戻る。
【００６１】
前述のステップＳ１５において、注視領域拡大画像が表示画面１４に表示されていると判断された場合には、注視領域拡大画像を消去するための押しボタンスイッチ１５ａが押下されたか、つまり注視領域拡大画像の消去のコマンドが実行されたか否かを判断する（ステップＳ２０）。
【００６２】
ステップＳ２０において、注視領域拡大画像の消去のコマンドが実行されたと判断された場合には、拡大画像消去部１５は、注視領域拡大画像を消去するコマンドを画像合成部３４に出力し（ステップＳ２１）、ステップＳ１２に戻る。その結果、画像合成部３４は、測定結果画像生成部１３によって生成された測定結果画像のみのデータを表示制御部３５に出力し、表示画面１４には測定結果画像のみが表示されることとなる。
【００６３】
ステップＳ２０において、注視領域拡大画像の消去のコマンドが実行されたと判断されなかった場合には、視線方向検出部３２は、測定者の視線方向が移動したか否かを判断する（ステップＳ２２）。
【００６４】
ステップＳ２２において、測定者の視線方向が移動したと判断された場合にはステップＳ１７に進み、測定者の視線方向が移動したと判断されなかった場合にはステップＳ１３の処理に戻る。ここで、例えば、表示画面１４の左上から右下の方向に視線方向が移動した場合には、視線方向の移動に沿って注視領域拡大画像が順次生成されて測定結果画像と合成され、注視領域拡大画像が左上から右下の方向に移動することとなる。
【００６５】
以上のように、本実施形態におけるスペクトラムアナライザ１は、測定者が注視している測定結果画像の注視領域を特定し、注視領域を含む所定領域を拡大した画像である注視領域拡大画像を生成して表示する構成としたので、画面を切り替えることなく測定結果等を見やすく表示することができる。
【００６６】
（第２実施形態）
まず、第２実施形態におけるスペクトラムアナライザ２の構成について説明する。
【００６７】
図６に示すように、本実施形態におけるスペクトラムアナライザ２は、第１実施形態（図１参照）の構成の一部を変更したものであり、測定結果画像生成部１６、表示制御装置５０を備えている。このスペクトラムアナライザ２は、測定装置の一例である。なお、第１実施形態と同様な構成には同一の符号を付し、重複する説明を省略する場合がある。
【００６８】
測定結果画像生成部１６は、表示画面１４の表示領域よりも大きい予め定められた画像サイズで、測定結果画像を生成するようになっている。すなわち、測定結果画像生成部１６によって生成された測定結果画像の一部が表示画面１４に表示されることとなる。本実施形態では、表示画面１４の画面解像度を横１２８０画素×縦１０２４画素とする。
【００６９】
表示制御装置５０は、撮像部３１、視線方向検出部３２、表示領域指示部５１、表示制御部５２を備えている。
【００７０】
表示領域指示部５１は、視線方向検出部３２が検出した視線方向の移動に応じて、表示画面１４に表示する測定結果画像の表示対象領域を移動させる指示を表示制御部５２に行うようになっている。なお、表示領域指示部５１は、表示制御手段の一例である。
【００７１】
表示制御部５２は、表示領域指示部５１の指示に基づき、測定結果画像生成部１６が生成した測定結果画像の一部の領域を表示対象領域として表示画面１４に表示させる制御を行うようになっている。すなわち、表示画面１４は、測定結果を示す測定結果画像内の一部の領域を表示対象領域として表示するものである。なお、表示制御部５２は、表示制御手段の一例である。
【００７２】
次に、測定結果画像生成部１６、表示領域指示部５１の機能について図７〜図９を用いて説明する。
【００７３】
図７は、測定結果画像生成部１６が生成する測定結果画像６０の一例を示している。説明のため、測定結果画像６０が、測定結果画像６０内の一部の領域として、左上部領域６１、右上部領域６２、中央部領域６３、左下部領域６４、右下部領域６５を有するものとする。これらの各領域６１〜６５は、表示画面１４の表示領域と同じく横１２８０画素×縦１０２４画素で構成されている。また、測定結果画像６０は、表示画面１４の表示領域よりも大きい予め定められた画像サイズ、例えば横２８００画素×縦２２００画素の画像で構成されている。なお、左上部領域６１、右上部領域６２、中央部領域６３、左下部領域６４、右下部領域６５は、表示対象領域の一例である。
【００７４】
図８は、スペクトラムアナライザ２の表示画面１４に左上部領域６１が表示された状態を示している。図８において、視線方向検出部３２が、測定者の視線方向が例えば３秒間以上ほぼ固定され、測定者が左上部領域６１の左辺付近又は上辺付近を注視していると検出しても、左上部領域６１の左辺や上辺は測定結果画像の外縁であるので（図７参照）、表示領域指示部５１は表示対象領域を移動させる指示を行わず、表示画面１４の画面は変化しない。
【００７５】
次に、視線方向検出部３２が、測定者が左上部領域６１の右辺付近を注視していると検出した場合には、表示領域指示部５１は、視線方向検出部３２から視線方向が右方向に向いている情報を取得し、左上部領域６１の右方向に表示対象領域を移動させる指示を行う。
【００７６】
同様に、視線方向検出部３２が、測定者が左上部領域６１の下辺付近を注視していると検出した場合には、表示領域指示部５１は、視線方向検出部３２から視線方向が下方向に向いている情報を取得し、左上部領域６１の下方向に表示対象領域を移動させる指示を行う。
【００７７】
図９は、表示画面１４に表示される画面を説明する図である。前述のように、例えば、表示画面１４に左上部領域６１が表示されている状態において、視線方向検出部３２が、測定者が左上部領域６１の下辺付近を注視し続けていると検出した場合には、表示領域指示部５１は、左上部領域６１の下方向に表示対象領域を移動させる指示を行うことにより、最終的に表示画面１４には左下部領域６４が表示される。
【００７８】
また、例えば、表示画面１４に左下部領域６４が表示されている状態において、視線方向検出部３２が、測定者が左下部領域６４の右上付近を注視し続けていると検出した場合には、表示領域指示部５１は、左下部領域６４の右上方向に表示対象領域を移動させる指示を行うことにより、中央部領域６３の表示の後、最終的には表示画面１４には右上部領域６２が表示される。
【００７９】
次に、本実施形態におけるスペクトラムアナライザ２の動作について図１０を用いて説明する。
【００８０】
測定結果画像生成部１６は、測定部１２が測定した結果を示す測定結果データやグラフ等を含む測定結果画像を、表示画面１４の表示領域よりも大きい予め定められたサイズで生成する（ステップＳ３１）。生成された測定結果画像のデータは表示制御部５２に出力される。
【００８１】
表示制御部５２は、測定結果画像生成部１６によって生成された測定結果画像のうち、予め定められた領域の画像、例えば左上部領域６１（図７参照）を表示画面１４に表示する制御を行う（ステップＳ３２）。
【００８２】
撮像部３１は、測定者を撮像し（ステップＳ３３）、撮像データを視線方向検出部３２に出力する。
【００８３】
視線方向検出部３２は、撮像部３１からの撮像データを解析し、測定者の視線方向の移動を検出する（ステップＳ３４）。検出された視線方向の移動を示すデータは表示領域指示部５１に出力される。
【００８４】
表示領域指示部５１は、検出された視線方向に表示可能な表示領域があるか否かを判断する（ステップＳ３５）。具体的には、例えば、表示画面１４に左上部領域６１が表示された状態（図８参照）において、視線方向検出部３２が、測定者が左上部領域６１の左辺付近を注視していると検出した場合には、左上部領域６１の左辺は測定結果画像の外縁であるので（図７参照）、表示領域指示部５１は、表示可能な表示領域がないと判断する。
【００８５】
一方、同じ状態において、視線方向検出部３２が、測定者が左上部領域６１の右辺付近を注視していると検出した場合には、左上部領域６１の右辺側には測定結果画像が存在するので（図７参照）、表示領域指示部５１は、表示可能な表示領域があると判断する。
【００８６】
ステップＳ３５において、表示可能な表示領域がないと判断された場合には、ステップＳ３３に戻る。
【００８７】
一方、ステップＳ３５において、表示可能な表示領域があると判断された場合には、表示領域指示部５１は、測定者の視線方向の移動に応じて、表示画面１４に表示する測定結果画像の表示対象領域を移動させる制御を表示制御部５２に行う（ステップＳ３６）。その結果、表示画面１４には、測定者の視線方向の移動に応じた測定結果画像が表示されることとなる。
【００８８】
以上のように、本実施形態におけるスペクトラムアナライザ２は、測定者の視線方向の移動に応じて表示対象領域を移動させて表示画面１４に表示する構成としたので、画面を切り替えることなく測定結果等を見やすく表示することができる。
【産業上の利用可能性】
【００８９】
以上のように、本発明に係る表示装置は、画面を切り替えることなく測定結果等を見やすく表示することができるという効果を有し、電気的特性の測定結果を表示する表示画面を備えた測定装置及び測定方法として有用である。
【符号の説明】
【００９０】
１、２  スペクトラムアナライザ（測定装置）
１３、１６  測定結果画像生成部
１４  表示画面
１５  拡大画像消去部
１５ａ  ボタンスイッチ
３１  撮像部（撮像手段）
３１ａ  カメラ
３２  視線方向検出部（視線方向検出手段）
３３  拡大画像生成装置
３３ａ  注視領域特定部（注視領域特定手段）
３３ｂ  拡大画像生成部（注視領域拡大画像生成手段）
３４  画像合成部
３５  表示制御部（表示制御手段）
４０、６０  測定結果画像
４１ａ  領域（注視領域）
４５、４７  合成画像
４６、４８  注視領域拡大画像
５１  表示領域指示部（表示制御手段）
５２  表示制御部（表示制御手段）
６１  左上部領域（表示対象領域）
６２  右上部領域（表示対象領域）
６３  中央部領域（表示対象領域）
６４  左下部領域（表示対象領域）
６５  右下部領域（表示対象領域）
【図１】
2017166968.tif 000003
【図２】
2017166968.tif 000004
【図３】
2017166968.tif 000005
【図４】
2017166968.tif 000006
【図５】
2017166968.tif 000007
【図６】
2017166968.tif 000008
【図７】
2017166968.tif 000009
【図８】
2017166968.tif 000010
【図９】
2017166968.tif 000011
【図１０】
2017166968.tif 000012